(57)【要約】【課題】  映像を連続して再生可能なデータ記録再生装置を提供する。【解決手段】  記録媒体Ａと記録媒体Ｂとを備えるＤＶＤレコーダを実現する制御回路１１０が実行する記録処理は、予約録画終了までの残時間が記録媒体Ａにおける記録可能時間以上である場合に（ステップＳ３０４にてＹＥＳ）、記録媒体Ａへの録画の終了後（ステップＳ３０８にてＹＥＳ）、記録媒体Ａの管理データ記憶領域に、「続き録画Ａあり」の情報を格納するステップ（Ｓ３１０）と、記録媒体Ｂの管理データ記憶領域に、「続き録画Ａ」の情報を格納するステップ（Ｓ３１２）と、記録媒体Ｂの管理データ記憶領域に、録画される映像データのアドレスを格納するステップ（Ｓ３１４）と、終了時刻まで記録媒体Ｂの映像データ記憶領域に映像を録画するステップ（Ｓ３１６）とを含む。【選択図】        図３
2006004503.tif 000002
【特許請求の範囲】
【請求項１】
映像データと、前記映像データに続けて記録される後続データが記録されている場所を表わすための情報とを格納する第１の記録手段と、
前記第１の記録手段に格納されている映像データを識別するための情報と、前記後続データとを格納する第２の記録手段と、
前記第１の記録手段にデータを書き込むための第１の書込手段と、
前記第１の記録手段からデータを読み出すための第１の再生手段と、
前記第２の記録手段にデータを書き込むための第２の書込手段と、
前記第２の記録手段からデータを読み出すための第２の再生手段と、
予約録画のための録画情報を格納する録画情報記録手段と、
前記録画情報に基づく録画の実行中に、前記第１の記録手段が映像データを記録可能な時間を算出するための手段と、
前記録画情報に基づく記録の実行中に、前記録画情報に基づいて、前記映像データの記録に必要な時間を算出する手段と、
前記記録可能な時間と前記必要な時間とを比較するための比較手段と、
前記必要な時間が前記記録可能な時間を上回る場合に、前記第１の書込手段に、前記第２の記録手段に映像データを続けて格納することを表わすための第１の記録情報を、前記第１の記録手段の予め定められた領域に格納させるための手段と、
前記必要な時間が前記記録可能な時間を上回る場合に、前記第１の記録手段に格納されている映像データについての前記後続データの前記第２の記録手段における位置を表わすための第２の記録情報を生成する手段と、
前記第２の書込手段に、前記第２の記録情報を前記第２の記録手段の予め定められた領域に格納させる手段と、
前記必要な時間が前記記録可能な時間を上回る場合に、前記第１の書込手段による前記第１の記録手段への映像データの記録に続けて、前記第２の書込手段に、前記第２の記録手段に映像データを格納させるための記録制御手段と、
前記第１の再生手段による映像データの再生中に前記第１の記録情報を検知すると、前記第１の再生手段による再生に続けて、前記第２の記録情報に基づいて、前記第２の再生手段に映像データを再生させるための再生制御手段とを備える、データ記録再生装置。
【請求項２】
データを格納するための第１および第２の記録手段と、
前記第１の記録手段にデータを書き込むための第１の書込手段と、
前記第１の記録手段からデータを読み出すための第１の再生手段と、
前記第２の記録手段にデータを書き込むための第２の書込手段と、
前記第２の記録手段からデータを読み出すための第２の再生手段と、
録画情報を格納する録画情報記録手段と、
前記第１の記録手段によるデータの記録可能な容量を算出する第１の算出手段と、
前記録画情報に基づいて、データの記録に必要な容量を算出する第２の算出手段と、
前記記録可能な容量と前記必要な容量とを比較するための比較手段と、
前記記録に必要な容量が前記記録可能な容量を上回る場合に、前記第１の書込手段に、前記第２の記録手段に前記データを続けて格納することを表わすための第１の記録情報を前記第１の記録手段の予め定められた領域に格納させる手段と、
前記必要な時間が前記記録可能な時間を上回る場合に、前記第２の書込手段に、前記第１の記録手段に格納されているデータに続くデータが格納されている位置を表わすための第２の記録情報を前記第２の記録手段に格納させる手段と、
前記記録に必要な容量と前記記録可能な容量とに基づいて、前記第１の記録手段と前記第２の記録手段との間で、前記録画情報に基づくデータの記録先を切り替えるための記録制御手段と、
前記第１の記録情報と前記第２の記録情報とに基づいて、前記第１の再生手段と前記第２の再生手段とに、データを連続して再生させるための再生制御手段とを備える、データ記録再生装置。
【請求項３】
前記記録制御手段は、前記記録に必要な容量が前記記録可能な容量を上回る場合に、前記第１の第１の記録手段から前記第２の記録手段に、前記録画情報に基づく映像データの記録先を切り替える、請求項２に記載のデータ記録再生装置。
【請求項４】
前記記録制御手段は、前記第１の書込手段による前記第１の記録手段への映像データの記録に続けて、前記第２の書込手段に、前記第２の記録手段に映像データを格納させる、請求項２に記載のデータ記録再生装置。
【請求項５】
前記再生制御手段は、前記第１の再生手段によるデータの再生中に前記第１の記録情報を検知すると、前記第２の記録情報に基づいて、前記第１の再生手段による再生に続けて、前記第２の再生手段にデータを再生させる、請求項２に記載のデータ記録再生装置。
【請求項６】
前記第１の算出手段は、前記第１の記録手段における映像データの記録可能な時間を算出し、
前記第２の算出手段は、前記録画情報に基づいて、前記映像データの記録に必要な時間を算出する、請求項２に記載のデータ記録再生装置。
【請求項７】
前記録画情報記録手段は、予約録画のための録画情報を格納し、
前記第１の算出手段は、前記録画情報に基づく録画の実行中に、前記第１の記録手段における映像データの記録可能な容量を算出し、
前記第２の算出手段は、前記録画情報に基づく録画の実行中に、前記録画情報に基づいて、前記映像データの記録に必要な時間を算出する、請求項２に記載のデータ記録再生装置。
【請求項８】
前記録画情報記録手段は、予約録画のための録画情報を格納し、
前記第１の算出手段は、前記録画情報に基づく録画の実行前に、前記第１の記録手段における映像データの記録可能な容量を算出し、
前記第２の算出手段は、前記録画情報に基づく録画の実行前に、前記録画情報に基づいて、前記映像データの記録に必要な容量を算出する、請求項２に記載のデータ記録再生装置。
【発明の詳細な説明】
【技術分野】
【０００１】
本発明は、映像データを記録および再生する技術に関し、特に、複数の記録媒体に映像データを記録する機能を備えるデータ記録再生装置に関する。
【背景技術】
【０００２】
ＶＴＲ（Video Tape Recorder）、いわゆるハードディスクレコーダその他の映像データ記録再生装置の中には、たとえば、ビデオテープとハードディスクとを内蔵する装置、あるいは、ＤＶＤ（Digital Versatile Disc）とハードディスクとを内蔵する装置がある。このような装置において、たとえば、長時間のテレビ番組その他の映像を記録する場合、１つの記録媒体（たとえば、ビデオテープあるいはＤＶＤディスク）に映像を格納しきれないため、２つめの記録媒体（たとえば、ハードディスク等）に続きの映像を格納する場合がある。この場合、ユーザが、異なる記録媒体に格納されている映像を再生する場合、２つめの記録媒体から映像を再生するために、記録している場所を探して、頭出し処理等を行なう必要がある。そこで、複数の記録媒体映像を格納しておき、再生時に連続して再生可能にするための技術が、たとえば特開平８−９８１２２号公報（特許文献１）あるいは、特開２００２−３３４５５８号公報（特許文献２）に提案されている。
【０００３】
特許文献１に開示された映像蓄積方法および映像再生方法によると、第ｎ番目の記録媒体に格納された映像と、第（ｎ＋１）番目の記録媒体に格納された映像とをつなぐための映像が、上記いずれかの記録媒体に格納されるため、再生時に、映像が途切れることなく、連続して可能となる。
【０００４】
特許文献２に開示された画像記録再生装置によると、予約録画情報に基づいて作成されたテーブル情報に基づいて、連続して映像を再生することができる。
【特許文献１】特開平８−９８１２２号公報
【特許文献２】特開２００２−３３４５５８号公報
【発明の開示】
【発明が解決しようとする課題】
【０００５】
しかしながら、特許文献１に開示された映像蓄積方法および映像再生方法によると、つなぎのための映像を格納する必要があるため、その分、記録媒体の容量が少なくなるという問題がある。
【０００６】
また、特許文献２に開示された画像記録再生装置によると、予約情報に基づいて作成されたテーブル情報を保持するためのデータ領域が必要になる。
【０００７】
本発明は、上述の問題点を解決するためになされたものであって、その目的は、記録媒体の容量の消費を抑制しつつ、連続再生が可能なデータ記録再生装置を提供することである。
【０００８】
また、本発明の他の目的は、ユーザによる操作を必要とすることなく、データを連続して記録したり再生したりすることができるデータ記録再生装置を提供することである。
【課題を解決するための手段】
【０００９】
上記の課題を解決するために、この発明のある局面に従うと、データ記録再生装置は、映像データと、映像データに続けて記録される後続データが記録されている場所を表わすための情報とを格納する第１の記録手段と、第１の記録手段に格納されている映像データを識別するための情報と、後続データとを格納する第２の記録手段と、第１の記録手段にデータを書き込むための第１の書込手段と、第１の記録手段からデータを読み出すための第１の再生手段と、第２の記録手段にデータを書き込むための第２の書込手段と、第２の記録手段からデータを読み出すための第２の再生手段と、予約録画のための録画情報を格納する録画情報記録手段と、録画情報に基づく録画の実行中に、第１の記録手段が映像データを記録可能な時間を算出するための手段と、録画情報に基づく記録の実行中に、録画情報に基づいて、映像データの記録に必要な時間を算出する手段と、記録可能な時間と必要な時間とを比較するための比較手段と、必要な時間が記録可能な時間を上回る場合に、第１の書込手段に、第２の記録手段に映像データを続けて格納することを表わすための第１の記録情報を、第１の記録手段の予め定められた領域に格納させるための手段と、必要な時間が記録可能な時間を上回る場合に、第１の記録手段に格納されている映像データについての後続データの第２の記録手段における位置を表わすための第２の記録情報を生成する手段と、第２の書込手段に、第２の記録情報を第２の記録手段の予め定められた領域に格納させる手段と、必要な時間が記録可能な時間を上回る場合に、第１の書込手段による第１の記録手段への映像データの記録に続けて、第２の書込手段に、第２の記録手段に映像データを格納させるための記録制御手段と、第１の再生手段による映像データの再生中に第１の記録情報を検知すると、第１の再生手段による再生に続けて、第２の記録情報に基づいて、第２の再生手段に映像データを再生させるための再生制御手段とを備える。
【００１０】
この発明の他の局面に従うと、データ記録再生装置は、データを格納するための第１および第２の記録手段と、第１の記録手段にデータを書き込むための第１の書込手段と、第１の記録手段からデータを読み出すための第１の再生手段と、第２の記録手段にデータを書き込むための第２の書込手段と、第２の記録手段からデータを読み出すための第２の再生手段と、録画情報を格納する録画情報記録手段と、第１の記録手段によるデータの記録可能な容量を算出する第１の算出手段と、録画情報に基づいて、データの記録に必要な容量を算出する第２の算出手段と、記録可能な容量と必要な容量とを比較するための比較手段と、記録に必要な容量が記録可能な容量を上回る場合に、第１の書込手段に、第２の記録手段にデータを続けて格納することを表わすための第１の記録情報を第１の記録手段の予め定められた領域に格納させる手段と、必要な時間が記録可能な時間を上回る場合に、第２の書込手段に、第１の記録手段に格納されているデータに続くデータが格納されている位置を表わすための第２の記録情報を第２の記録手段に格納させる手段と、記録に必要な容量と記録可能な容量とに基づいて、第１の記録手段と第２の記録手段との間で、録画情報に基づくデータの記録先を切り替えるための記録制御手段と、第１の記録情報と第２の記録情報とに基づいて、第１の再生手段と第２の再生手段とに、データを連続して再生させるための再生制御手段とを備える。
【００１１】
好ましくは、記録制御手段は、記録に必要な容量が記録可能な容量を上回る場合に、第１の第１の記録手段から第２の記録手段に、録画情報に基づく映像データの記録先を切り替える。
【００１２】
好ましくは、記録制御手段は、第１の書込手段による第１の記録手段への映像データの記録に続けて、第２の書込手段に、第２の記録手段に映像データを格納させる。
【００１３】
好ましくは、再生制御手段は、第１の再生手段によるデータの再生中に第１の記録情報を検知すると、第２の記録情報に基づいて、第１の再生手段による再生に続けて、第２の再生手段にデータを再生させる。
【００１４】
好ましくは、第１の算出手段は、第１の記録手段における映像データの記録可能な時間を算出する。第２の算出手段は、録画情報に基づいて、映像データの記録に必要な時間を算出する。
【００１５】
好ましくは、録画情報記録手段は、予約録画のための録画情報を格納する。第１の算出手段は、録画情報に基づく録画の実行中に、第１の記録手段における映像データの記録可能な容量を算出する。第２の算出手段は、録画情報に基づく録画の実行中に、録画情報に基づいて、映像データの記録に必要な時間を算出する。
【００１６】
好ましくは、録画情報記録手段は、予約録画のための録画情報を格納する。第１の算出手段は、録画情報に基づく録画の実行前に、第１の記録手段における映像データの記録可能な容量を算出する。第２の算出手段は、録画情報に基づく録画の実行前に、録画情報に基づいて、映像データの記録に必要な容量を算出する。
【発明の効果】
【００１７】
本発明に係るデータ記録再生装置は、第１の記録媒体から第２の記録媒体に映像を続けて記録する場合に、その旨を表わすための情報を、第１の記録媒体と第２の記録媒体とにそれぞれ格納する。データ記録再生装置が、第１の記録媒体からの再生から第２の記録媒体からの再生を実行する場合、各情報に基づいて、第２の記録媒体からの再生を実行する。したがって、データ記録再生装置は、ユーザによる特別の操作を必要とすることなく、映像あるいは音声などのデータを連続して再生することができる。
【００１８】
また、本発明に係るデータ記録再生装置は、続き録画の存在を表わすために必要な情報のみを生成して、たとえば、映像のつなぎ再生のためのデータを生成しない。したがって、本発明に係るデータ記録再生装置は、第１あるいは第２の記録媒体の記憶領域を使用しないため、その分、データの記録に必要な領域をさらに確保することができる。
【発明を実施するための最良の形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
＜第１の実施の形態＞
図１を参照して、本発明の第１の実施の形態に係るデータ記録再生装置の一態様であるＤＶＤレコーダ１００について説明する。図１は、ＤＶＤレコーダ１００のハードウェア構成を表わすブロック図である。
【００２１】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。ここで、作動状態とは、たとえば、ＤＶＤレコーダにおける時刻情報、後述するチューナによる受信状態、番組の録画状態等である。
【００２２】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。
【００２３】
図２を参照して、本実施の形態に係るＤＶＤレコーダ１００に装着されるＤＶＤ１７２におけるデータ構造について説明する。図２は、ＤＶＤ１７２におけるデータ記憶領域の構成を概念的に表わす図である。
【００２４】
ＤＶＤ１７２は、格納する映像データあるいは音声データに関するシステム情報を記憶するためのシステム管理領域Ｄ２００と、映像データあるいは音声データを格納するための領域Ｄ２１０とを含む。
【００２５】
領域Ｄ２００には、ＤＶＤ１７２において録画されているデータに関し続き録画の有無を表わすためのデータが格納されている。そのデータは、たとえば、他の記録媒体を識別するためのＩＤ（Identification）番号、その続き録画を実行するときの詳細情報を含む。詳細情報は、たとえば続き録画が実行された日時、続き録画が実行される都度、予め定められた順序により生成されるシリアル番号等である。
【００２６】
領域Ｄ２１０には、たとえばチューナ１３０により選択され、ユーザにより指定された録画モードにより記録される映像データが格納可能である。また、この領域に格納される映像データにより構成されるファイルの数は、特に限られない。
【００２７】
図３を参照して、本実施の形態に係るＤＶＤレコーダ１００の制御構造について説明する。図３は、システム制御回路１１０が実行する処理の手順を表わすフローチャートである。
【００２８】
ステップＳ３０２にて、システム制御回路１１０は、メモリ１１２に格納されている予約情報に基づいて録画を開始する。ステップＳ３０４にて、システム制御回路１１０は、計時回路１２６から入力される時刻データおよびメモリ１１２に格納される録画データに基づいて、予約録画の終了までの残時間が記録媒体Ａ（たとえばＤＶＤ１７２）の残時間以上であるか否かを判断する。予約録画終了までの残時間が記録媒体Ａの残時間よりも上回る場合には（ステップＳ３０４にてＹＥＳ）、処理はステップＳ３０６に移される。そうでない場合には（ステップＳ３０４にてＮＯ）、処理はステップＳ３２０に移される。
【００２９】
ステップＳ３０６にて、システム制御回路１１０は、記録媒体Ａへの録画を継続する。ステップＳ３０８にて、システム制御回路１１０は、メモリ１１２に格納した記録媒体Ａに対する情報の格納状態あるいは計時回路１２６からの時刻情報に基づいて、記録媒体Ａへの録画が終了したか否かを判断する。録画が終了したと判断すると（ステップＳ３０８にてＹＥＳ）、処理はステップＳ３１０に移される。そうでない場合には（ステップＳ３０８にてＮＯ）、処理はステップＳ３０６に戻される。
【００３０】
ステップＳ３１０にて、システム制御回路１１０は、記録媒体Ａの管理データ記憶領域に、「続き録画Ａあり」を表わすための情報を格納する。たとえば、予め定められたコードが、その領域に格納される。ステップＳ３１２にて、システム制御回路１１０は、記録媒体Ｂ（たとえばハードディスク装置１４０）の管理データ記憶領域に、続き録画Ａの情報を格納する。
【００３１】
ステップＳ３１４にて、システム制御回路１１０は、記録媒体Ｂの管理データ記憶領域に、録画される映像データのアドレスを格納する。ステップＳ３１６にて、システム制御回路１１０は、予約録画の終了時刻まで、記録媒体Ｂの映像データ記憶領域に映像を録画する。
【００３２】
図４を参照して、本実施の形態に係るＤＶＤレコーダ１００の制御構造についてさらに説明する。図４は、システム制御回路１１０が映像の再生時に実行する処理の手順を表わすフローチャートである。
【００３３】
ステップＳ４０２にて、システム制御回路１１０は、操作部１２２あるいは受光部１２４から入力される信号に基づいて、記録媒体Ａの再生の指示の入力を検知する。ステップＳ４０４にて、システム制御回路１１０は、記録媒体Ａから映像を読み出して再生する。ステップＳ４０６にて、システム制御回路１１０は、管理データ記憶領域に格納されているデータに基づいて、記録媒体Ａの続き録画Ａありの情報が存在するか否かを判断する。その情報が存在している場合には（ステップＳ４０６にてＹＥＳ）、処理はステップＳ４０８に移される。そうでない場合には（ステップＳ４０６にてＮＯ）、処理はステップＳ４２０に移される。
【００３４】
ステップＳ４０８にて、システム制御回路１１０は、記録媒体Ｂの管理データ記憶領域に、続き録画Ａの情報が存在しているか否かを判断する。その情報が存在している場合には（ステップＳ４０８にてＹＥＳ）、処理はステップＳ４１０に移される。そうでない場合には（ステップＳ４０８にてＮＯ）、処理はステップＳ４２０に移される。
【００３５】
ステップＳ４１０にて、システム制御回路１１０は、記録媒体Ａの再生の終了を検知する。ステップＳ４１２にて、システム制御回路１１０は、記録媒体Ａからの録画データの再生を終了する。
【００３６】
ステップＳ４１４にて、システム制御回路１１０は、記録媒体Ｂの開始アドレスから録画データを読み出す。ステップＳ４１６にて、システム制御回路１１０は、記録媒体Ｂの再生終了の指示を検知する。ステップＳ４１８にて、システム制御回路１１０は、その指示に基づいて、記録媒体Ｂからの録画データの再生を終了する。
【００３７】
ステップＳ４２０にて、システム制御回路１１０は、記録媒体Ａの再生の終了を検知する。ステップＳ４２２にて、システム制御回路１１０は、記録媒体Ａからの録画データの再生を終了する。
【００３８】
以上のような構造およびフローチャートに基づく、本実施の形態に係るＤＶＤレコーダ１００の動作について説明する。
【００３９】
［録画時］
ＤＶＤレコーダ１００の計時回路１２６の時刻が予約された時刻になると、予約情報に基づいて録画が開始される（ステップＳ３０２）。予約録画の終了時刻までの時間がＤＶＤ１７２の録画可能な時間よりも長い場合には（ステップＳ３０４にてＹＥＳ）、映像データはまずＤＶＤ１７２に録画される（ステップＳ３０６）。ＤＶＤ１７２の領域がいっぱいになり録画の継続ができなくなると（ステップＳ３０８にてＹＥＳ）、ＤＶＤ１７２の管理データ記憶領域に続き録画あり（ＤＶＤ１７２）の情報を格納する（ステップＳ３１０）。その後ＤＶＤ１００は、ハードディスク１４４の所定の管理データ記憶領域に、続き録画（ＤＶＤ１７２）の情報を格納し、予約録画の終了時刻までハードディスク１４４の映像データ記憶領域に映像を録画する（ステップＳ３１６）。
【００４０】
［再生時］
ユーザがＤＶＤレコーダ１００に対して所定の再生動作を実行しＤＶＤ１７２の再生指示を入力すると（ステップＳ４０２）、ＤＶＤ１００は、ＤＶＤ駆動装置１７０に装着されたＤＶＤ１７２から映像データを読出して、テレビ４００に映像を出力する（ステップＳ４０４）。ＤＶＤ１７２の管理データ記憶領域に続き録画ありの情報が格納されている場合には（ステップＳ４０６にてＹＥＳ）、ハードディスク１４４の管理データ記憶領域においてさらに同様の情報が格納されているか否かが判断される。ハードディスク１４４に続き録画（ＤＶＤ１７２）の情報が格納されている場合には（ステップＳ４０８にてＹＥＳ）、ＤＶＤ１７２からの映像の再生が終了した後（ステップＳ４１２）、ハードディスク１４４から続きの映像データが再生される（ステップＳ４１４）。
【００４１】
以上のようにして、本実施の形態に係るＤＶＤレコーダ１００は、ＤＶＤ１７２への録画に続けてハードディスク１４４に映像を記録する。このとき、ＤＶＤレコーダ１００は、ＤＶＤ１７２に、続き録画がハードディスク１４４に存在することを通知するための情報を格納する。この情報は、たとえば、記録日時、ハードディスク１４４を識別するための情報、あるいは、ＤＶＤレコーダ１００において予め定められたコードなどを含む。その後、ＤＶＤレコーダ１００は、ハードディスク１４４に映像を続けて記録するとともに、その記録がＤＶＤ１７２における録画に続くものであることを表わすための情報を生成して格納する。この情報は、たとえば、ＤＶＤ１７２の識別番号を含む。
【００４２】
このようにすると、ＤＶＤ１７２の再生後に、ハードディスク１４４からの再生を連続して実行することができるため、映像の再生が中断されなくなる。したがって、ユーザは、連続再生のための操作をすることなく、映像の視聴を楽しむことができる。
【００４３】
＜第２の実施の形態＞
以下、本発明の第２の実施の形態について説明する。本実施の形態に係るハードディスクレコーダ５００は、データの記録媒体としてハードディスク１４４とビデオテープとを使用する点で、前述の第１の実施の形態と異なる。
【００４４】
図５を参照して、本実施の形態に係るハードディスクレコーダ５００について説明する。図５は、ハードディスクレコーダ５００のハードウェア構成を表わすブロック図である。なお、第１の実施の形態に係るＤＶＤレコーダ１００の構成要素と同一のものには、同一の番号を付してある。それらの機能も同じである。したがって、それらについての説明は、繰り返さない。
【００４５】
ハードディスクレコーダ５００は、ビデオテープ駆動装置５７０を含む。ビデオテープ駆動装置５７０には、ビデオカセットテープ５７２が装着される。
【００４６】
ハードディスクレコーダ５００の制御回路１１０は、チューナ１３０により選局された放送局の映像音声データを、ビデオカセットテープ５７２に書き込む。制御回路１１０は、映像音声データの書込がビデオカセットテープ５７２の最後部までに完了しない場合に、他の記録媒体、すなわちハードディスク１４４に続きの映像音声データを格納する。制御回路１１０は、その時のデータの保存先の切替を表わす情報を生成する。この情報は、たとえば映像音声データの記録日時、ハードディスク１４４を識別するために予め準備された情報（たとえば製造番号など）を含む。
【００４７】
システム制御回路１１０は、さらに、ハードディスク１４４における映像音声データの記録が、ビデオカセットテープ５７２に格納されているデータの続きであることを表わすための管理情報を生成する。システム制御回路１１０は、ハードディスク１４４の管理データ記録領域に、その管理情報を格納する。なお、管理情報は、ハードディスク１４４以外に格納されてもよい。たとえば、管理情報は、メモリ１１２に格納されてもよい。
【００４８】
図６を参照して、ビデオカセットテープ５７２におけるデータ構造について説明する。図６は、ビデオカセットテープ５７２のテープにおける信号の格納の一態様を概念的に表わす図である。
【００４９】
テープ６００は、映像あるいは音声信号を記録するための領域と制御信号を格納するための領域とを含む。領域Ｄ６１０には、たとえばＣＴＬ信号（続き録画フラグ）が格納される。この信号は、映像の記録時に所定の入力に基づいて記録される。たとえばビデオカセットテープ５７２に映像を録画している場合に、続き録画のモードがオンに設定している場合には、システム制御回路１１０は、その設定に基づいて続き録画が有効であることを表わすためのＣＴＬ信号を領域Ｄ６１０に格納する。
【００５０】
図７を参照して、本実施の形態に係るハードディスクレコーダ５００の制御構造について説明する。図７は、ハードディスクレコーダ５００のシステム制御回路１１０が実行する処理の手順を表わすフローチャートである。なお、前述の第１の実施の形態における処理と同一の処理には同一のステップ番号を付し、それらについての説明はここでは繰り返さない。
【００５１】
ステップＳ３０８にて、システム制御回路１１０は、記録媒体Ａ（ビデオカセットテープ５７２）への録画が終了したか否かを判断する。その録画が終了した場合には（ステップＳ３０８にてＹＥＳ）、処理はステップＳ７１０に移される。ステップＳ７１０にて、システム制御回路１１０は、ビデオカセットテープ５７２のＣＴＬ信号記憶領域に、「続き録画Ａあり」を示すＣＴＬ信号を格納する。
【００５２】
図８を参照して、ハードディスクレコーダ５００の制御構造についてさらに説明する。図８は、映像の再生時にシステム制御回路１１０が実行する処理の手順を表わすフローチャートである。なお、前述の第１の実施の形態における処理と同一の処理には同一のステップ番号を付し、それらについての説明は繰り返さない。
【００５３】
ステップＳ８０６にて、システム制御回路１１０は、記録媒体Ａ（ビデオカセットテープ５７２）において、「続き録画Ａあり」を示すＣＴＬ信号が存在するか否かを判断する。その信号が存在している場合には（ステップＳ８０６にてＹＥＳ）、処理はステップＳ４０８に移される。そうでない場合には（ステップＳ８０６にてＮＯ）、処理はステップＳ４２０に移される。
【００５４】
以上のような構造およびフローチャートに基づく、本実施の形態に係るハードディスクレコーダ５００の動作について説明する。なお、前述の動作と同じ動作の説明は、ここでは繰り返さない。
【００５５】
［録画時］
ハードディスクレコーダ５００の計時回路１２６の時刻が予約された時刻になると、予約情報に基づいて録画が開始される（ステップＳ３０２）。ビデオカセットテープ５７２の領域が一杯になり録画の継続ができなくなると（ステップＳ３０８にてＹＥＳ）、ビデオカセットテープ５７２のＣＴＬ信号記憶領域に、「続き録画Ａあり」の情報を格納する（ステップＳ７１０）。
【００５６】
［再生時］
ユーザがハードディスクレコーダ５００に対して所定の操作を実行して、ビデオカセットテープ５７２の再生指示を入力すると、ハードディスクレコーダ５００は、その指示を検知する（ステップＳ４０２）。ハードディスクレコーダ５００がビデオテープ駆動装置５７０に装着されたビデオカセットテープ５７２から映像データを読み出して、テレビ４００に映像を出力する（ステップＳ４０４）。ビデオカセットテープ５７２の所定の領域に、「続き録画Ａあり」の情報が格納されている場合に（ステップＳ８０６にてＹＥＳ）、ハードディスク１４４にその情報に対応する映像データが格納されている場合には（ステップＳ４０８にてＹＥＳ）、ビデオカセットテープ５７２の再生後、ハードディスク１４４からの再生を実行する（ステップＳ４１０〜Ｓ４１４）。
【００５７】
以上のようにして、本実施の形態に係るハードディスクレコーダ５００は、ビデオカセットテープ５７２への録画に続けて、ハードディスク１４４に映像を記録する。このとき、ハードディスクレコーダ５００は、ビデオカセットテープ５７２に、続き録画がハードディスク１４４に存在することを通知するための情報を格納する。この情報は、たとえば、記録日時、ハードディスク１４４を識別するための情報、あるいは、ハードディスクレコーダ５００において予め定められたコード、連続録画が実行されるごとに付与される番号などを含む。その後、ハードディスクレコーダ５００は、ハードディスク１４４に映像を続けて記録するとともに、その記録がビデオカセットテープ５７２における録画に続くものであることを表わすための情報を生成して格納する。
【００５８】
このようにすると、ビデオカセットテープ５７２の映像の再生後に、ハードディスク１４４からの再生を連続して実行することができるため、映像の再生が中断されなくなる。したがって、ユーザは、連続再生のための操作をすることなく、映像の視聴を楽しむことができる。
【００５９】
以下、本発明の実施の形態の変形例について説明する。
【００６０】
＜第１の変形例＞
図９を参照して、本実施の形態に係るＤＶＤレコーダ１００あるいはハードディスクレコーダ５００の変形例について説明する。前述した各実施の形態において、記録媒体に格納されている続き録画の有無を表わすためのデータは、各記録媒体の所定の管理データ記憶領域に格納されていたが、これらの着脱可能な媒体以外に、たとえばＤＶＤレコーダ１００あるいはハードディスクレコーダ５００が備えるメモリに格納してもよい。
【００６１】
すなわち、メモリ１１２は、各記録媒体についての管理情報を格納するための領域を有する。領域Ｄ９１０には、記録媒体Ａ（ＤＶＤ１７２、ビデオカセットテープ５７２その他の着脱可能な記録媒体）の識別情報が格納される。領域Ｄ９２０には、続き録画の有無を表わすためのデータが格納される。領域Ｄ９３０には、記録媒体Ｂ（たとえばハードディスク１４４）において続き録画の有無を表わすためのデータが格納される。データ領域Ｄ９４０には、録画データが記録されている領域の先頭アドレスを表わすためのデータが格納される。
【００６２】
このようにＤＶＤレコーダ１００あるいはハードディスクレコーダ５００に格納されている管理情報に基づいて、続き録画の有無を速やかに確認することにより、たとえば映像の再生時においてシームレスの再生を実行することができる。
【００６３】
＜第２の変形例＞
図１０を参照して、本実施の形態の変形例についてさらに説明する。上記した各実施の形態においては、映像を表示するための表示部（たとえばテレビ４００）は、ＤＶＤレコーダ１００あるいはハードディスクレコーダ５００に対してケーブル（図示しない）を介して接続されていたが、モニタを予め備える装置であってもよい。たとえば、図１０に示すように、ＤＶＤレコーダ１０００は、映像データの記録および再生の機能に加えて、映像を出力するためのモニタ部４０００を備えていてもよい。
【００６４】
なお、以上詳述した各実施の形態および各変形例において、予約録画終了までの残時間と、記録媒体Ａの記録可能時間との比較は、録画の開始後に行なわれた。この比較は、たとえば録画の開始前に行なわれてもよい。このようにすると、たとえば、ユーザが予約情報を入力した場合に、その旨を通知することも可能になるため、ユーザは、必要に応じて、そのような記録の形式を選択したり、あるいは、他の記録媒体（たとえば何も録画されていないビデオカセットテープあるいはＤＶＤ）を装着することができる。したがって、ユーザに映像あるいは音声データを記録する媒体の選択可能性を提供することができる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６６】
本発明は、複数の記録媒体に映像データを記録可能なデータ記録再生装置、たとえば、ハードディスクとＤＶＤレコーダとを備える装置、ハードディスクとＶＴＲとを備える装置等に適用可能である。
【図面の簡単な説明】
【００６７】
【図１】本発明の第１の実施の形態に係るＤＶＤレコーダのハードウェア構成を表わすブロック図である。
【図２】本発明の第１の実施の形態に係るＤＶＤレコーダに装着されるＤＶＤにおけるデータ構造を表わすブロック図である。
【図３】本発明の第１の実施の形態に係るＤＶＤレコーダが実行する処理の手順を表わすフローチャート（その１）である。
【図４】本発明の実施の形態に係るＤＶＤレコーダが実行する処理の手順を表わすフローチャート（その２）である。
【図５】本発明の第２の実施の形態に係るハードディスクレコーダのハードウェア構成を表わすブロック図である。
【図６】本発明の第２の実施の形態に係るハードディスクレコーダに装着されるビデオカセットテープにおける制御信号の記録の一態様を表わすブロック図である。
【図７】本発明の第２の実施の形態に係るハードディスクレコーダが実行する処理の手順を表わすフローチャート（その１）である。
【図８】本発明の第２の実施の形態に係るハードディスクレコーダが実行する処理の手順を表わすフローチャート（その２）である。
【図９】本発明の実施の形態の第１の変形例に係るデータ記録再生装置におけるデータ構造を表わすブロック図である。
【図１０】本発明の実施の形態の第２の変形例に係るデータ記録再生装置のハードウェア構成を表わすブロック図である。
【符号の説明】
【００６８】
１００，１０００  ＤＶＤレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１６０  Ｄ／Ａ変換部、１６８  出力部、１７０  ＤＶＤ駆動装置、１７２  ＤＶＤ、１９０  アンテナ、１９２  伝送ケーブル、４００  テレビ、５００  ハードディスクレコーダ、５７０  ビデオテープ駆動装置、５７２  ビデオカセットテープ。
【図１】
2006004503.tif 000003
【図２】
2006004503.tif 000004
【図３】
2006004503.tif 000005
【図４】
2006004503.tif 000006
【図５】
2006004503.tif 000007
【図６】
2006004503.tif 000008
【図７】
2006004503.tif 000009
【図８】
2006004503.tif 000010
【図９】
2006004503.tif 000011
【図１０】
2006004503.tif 000012